(57)【特許請求の範囲】
【請求項１】
ＡＣアダプタからのＤＣ電圧又はバッテリからのＤＣ電圧の少なくとも一方によって駆動可能な電子機器であって、
ＡＣアダプタからのＤＣ電圧を受け入れるための入力ラインと、
電源の投入及び遮断を指示するためのパワー・スイッチと、
ＡＣアダプタからのＤＣ電圧及びバッテリからのＤＣ電圧を消費するシステム負荷と、
前記バッテリの充電動作を制御する充電制御回路と、
前記パワー・スイッチの操作に応答した信号を出力する論理回路と、
前記論理回路から出力される信号と、前記充電動作を制御する信号とが入力され、前記論理回路から出力される信号が電源遮断時を示し、前記充電動作を制御する信号が充電終了を示す場合に状態遷移する論理ゲートと、前記論理ゲートの状態遷移に応答してオン状態とされるＦＥＴと、前記ＦＥＴがオン状態となることでオフ状態とされ、システム負荷および前記バッテリに対する入力分岐位置よりも前記入力ラインの上流側に接続されたＦＥＴと、を備える前記入力ラインを遮断する入力ラインのオン／オフ制御回路と
を含むことを特徴とする電子機器。
【発明の詳細な説明】
【０００１】
【発明の属する技術分野】
本発明は、商用ＡＣ電圧をＤＣ電圧に変換するためのＡＣアダプタを利用可能なバッテリ駆動型電子機器に係り、特に、不使用時の電力を削減可能なバッテリ駆動型電子機器に関する。更に詳しくは、本発明は、装着中の電子機器内の電源状態を検知することにより未使用時の消費電力を削減することが可能なバッテリ駆動型電子機器に関する。
【０００２】
【従来の技術】
昨今の技術革新に伴い、デスクトップ型、タワー型、ノートブック型など各種パーソナル・コンピュータが開発され市販されている。このうち、ノートブック・コンピュータは、モバイル環境、すなわち屋外や移動先での携帯的・可搬的な使用を考慮して小型且つ軽量に設計・製作されたものである。ノートブックＰＣの代表例は、日本アイ・ビー・エム（株）が市販する"ＩＢＭ  ＴｈｉｎｋＰａｄ  ７７０"シリーズである（"ＩＢＭ  ＴｈｉｎｋＰａｄ  ７７０"は米ＩＢＭ社の商標）。
【０００３】
殆ど全てのノートブックＰＣは、内蔵バッテリで駆動可能な「バッテリ駆動」タイプである。これは、屋外や出張先など、商用ＡＣ電源が利用できないモバイル環境での装置駆動を考慮したためである。内蔵バッテリは、一般に、Ｌｉ−Ｉｏｎ（リチウム・イオン），ＮｉＣｄ（ニッカド），ＮｉＭＨ（ニッケル水素）のような充電式バッテリ・セルを複数個収納した「バッテリ・パック」の形態で利用される。
【０００４】
しかしながら、商用ＡＣ電源が無尽蔵であるところ、バッテリ・パックは容量が有限で持続時間が短い（コンピュータ処理時間にして精々２〜３時間程度）上に、充電時間が長い（一般には、持続時間相当の充電時間を要する）。また、見かけ上のバッテリ持続時間を延長するために、ユーザがスペア・バッテリを携行するということも考えられるが、重量やサイズが嵩むため、携帯性を損なう結果となる。このため、バッテリ駆動型と雖も、商用ＡＣ電源が利用可能なオフィス環境下では、ノートブックＰＣ本体に外付けＡＣアダプタを装着して、商用ＡＣ電源を用いて駆動するのが一般的となっている。ここで、ＡＣアダプタとは、ＡＣ電圧をＤＣ電圧に変換するための装置であり、整流平滑化する回路やＤＣ電圧をレベル変換する変圧トランスなどを含んでいる（周知）。ＡＣアダプタの一端からはＡＣコンセント（通常は室内の壁面に埋設されている）に挿入するためのケーブルが伸び、他端からはノートブックＰＣ本体壁面のＤＣインレットに装着するためのケーブルが伸びている。ＡＣアダプタが出力する電力は、上述のように装置駆動に用いられる他、余剰電力やパワー・オフ時の供給電力は内蔵バッテリの充電に用いられる。
【０００５】
最近のノートブックＰＣは、デスクトップＰＣに置き換わる装置、すなわち「デスクトップ・リプレイスメント」の色彩が濃い。これは、半導体製造技術の向上などにより、ノートブックＰＣの処理能力がデスクトップＰＣに匹敵するようになってきたことや、ＬＣＤ（液晶表示ディスプレイ）パネルの大画面化や装備ドライブ・ユニット数の増大により、作業環境の点でもデスクトップＰＣとは遜色がなくなってきたことにも依拠する。また、ノートブックＰＣは、容積やフットプリントが小さいため、オフィスの省スペースの効果もある。
【０００６】
ノートブックＰＣをオフィス等で固定的に使用するときには、上述したように、必然的に商用ＡＣ電源を用いる。このような使用形態においては、他のＯＡ機器や家電機器と同様、ＡＣアダプタは未使用時（例えば夜間や休日）にもＡＣコンセントに差し込んだままにして置かれることが多い。ところが、機器本体がパワー・オフ状態や機器本体から抜き取った状態であっても、ＡＣコンセントに差し込まれたままのＡＣアダプタは通電状態にあるため、その間の電力浪費が問題となる。ＡＣアダプタはＤＣ電圧を変圧するための変圧トランスを含んでいるが（上述）、出力電圧を定常化するために、変圧トランスの１次コイル側においてＦＥＴスイッチなどのアナログ・スイッチを用いてスイッチング制御がなされている。ＰＣ本体側がパワー・オフの間も、あるいはＡＣアダプタがＰＣ本体から取り外されていても、ＡＣアダプタがコンセントに差し込まれＡＣ電源を受け取っているときは常にこのスイッチング制御は作動する。つまり、ＡＣアダプタの電力浪費は、主としてこのスイッチング動作に起因している。また、損失された電力の大部分は熱エネルギに変換されるため、ＡＣアダプタの放熱対策も併せて必要となる。
【０００７】
ここで、未使用のＡＣアダプタが浪費する電力を試算してみることにする。例えば代表的なノートブックＰＣ"ＩＢＭ  ＴｈｉｎｋＰａｄ"シリーズで利用される電流共振型のＡＣアダプタでは、ＰＣ本体がパワー・オフ中であってもスイッチング・ロスにより２〜４Ｗの電力を消費する。また、フライバック型のＡＣアダプタでも０．５〜１Ｗ程度の電力を消費する。一般には、電流共振型のＡＣアダプタの方が電圧変換効率の点で優れているため、未使用時の電力損失が大きいにも拘らずフライバック型から電流共振型に置き換わる傾向にある。さらに、ＰＣ本体内でも、ＤＣ電圧（例えば１６Ｖ）がＡＣアダプタによって常に印加されるため、パワー・オフ時でも約０．５Ｗの電力を消耗する。１台のＰＣによる電力損失は約３Ｗと微量であるが、相当台数のＰＣを導入した企業のビル内では、単にＡＣアダプタを差し込んだままにしておくだけでも知らず知らずのうちに相当の電気代を食い潰すことになる。
【０００８】
例えば平日夜間の未使用時間を１２Ｈ、未使用週末の未使用時間を６０Ｈと仮定すると、年間の通算未使用時間は１，２８０Ｈ／Ｙｅａｒ（＝１２Ｈ／ｄａｙ×２００Ｄａｙｓ／Ｙｅａｒ＋６０Ｈ／Ｗｅｅｋ×４Ｗｅｅｋｓ／Ｍｏｎｔｈ×１２Ｍｏｎｔｈｓ／Ｙｅａｒ）に上る。したがって、ＡＣアダプタを装着したままのノートブックＰＣが１００万台あったとすると、これに伴う年間電力損失は１５，８４０，０００ＫＷｈ／Ｙｅａｒ（＝１，０００Ｋ  ｕｎｉｔｓ×１，２８０Ｈ／Ｙｅａｒ×３Ｗ）となり、その電気代は２３９，１８４Ｋ円（＝０．０１５１Ｋ￥／ＫＷｈ／Ｙｅａｒ×１５，８４０，０００ＫＷｈ／Ｙｅａｒ）にも上る。
【０００９】
商用ＡＣ電源はほぼ無尽蔵であり、ＰＣ本体への駆動電力の供給という観点からはＡＣアダプタの利用は全く問題ない。しかしながら、社会生態学的な立場、すなわち地球規模での資源有効利用や環境保護という観点からは、未使用時におけるこのようなＡＣアダプタの電力損失は看過し難い。
【００１０】
未使用時のＡＣアダプタの電力損失をなくすためには、使用終了の都度ＡＣアダプタをコンセント及びノートブックＰＣ本体から取り外すことが好ましい。しかしながら、ケーブル類の逐次的な着脱操作は煩わしく、ユーザビリティを損なうことになる。また、頻繁にＡＣアダプタを抜き取っていては、コンセントやＡＣアダプタのプラグが劣化してしまう。また、ノートブックＰＣはパワー・オフ時の供給電力を用いて内蔵バッテリの充電を行う関係からも、ユーザはＡＣアダプタを差し込んだままにせざるを得ない。
【００１１】
また、ＡＣアダプタの出力が不要な状態（すなわち本体がパワー・オフで且つ充電していない期間）をノートブックＰＣ本体側から通知して、ＡＣアダプタ側はこの通知を受けて変圧トランスの１次コイル側を切るという手法も考えられよう。例えばＩＢＭテクニカル・ディスクロージャ・ブレティン番号ＪＡ８−９７−０２９９には、ノートブックＰＣ本体側がＡＣアダプタに対して自己の電源状態を伝達するための信号線を新たに追加することによって、ＡＣアダプタの駆動を停止させる手法を具現した発明が開示されている。しかしながら、信号線の追加は、ＰＣ本体とＡＣアダプタとを結合させるＤＣインレットのコネクタ互換性を失う結果となる。すなわち、ＪＡ８−９７−０２９９に従うノートブックＰＣはＪＡ８−９７−０２９９に従うＡＣアダプタしか受容できない。また、ＪＡ８−９７−０２９９に従うＡＣアダプタも、専らＪＡ８−９７−０２９９に従うノートブックＰＣでしか利用することはできない。
【００１２】
なお、特開平６−２９２３６３号公報、特開平４−１６５９５７号公報、特開平７−１５３５８２号公報、特開平８−１７９８５８号公報の各々には、機器未使用時におけるＡＣアダプタによる電力損失を回避するための技術が開示されている。しかしながら、特開平６−２９２３６３号公報では、ＡＣアダプタ内の１次側スイッチをオンするのに機器本体内の電池を電源として利用しているので、本体内に電池がない場合や、電池が枯渇している場合には、ＡＣアダプタの動作を停止することができない。
【００１３】
また、特開平４−１６５９５７号公報に開示された発明は、ＡＣアダプタ側で負荷電流の有無を検出してＡＣアダプタをオン／オフ制御するものである。したがって、バッテリがない状態で電子機器をパワー・オン操作を行っても、給電を開始すべき、という状態の変化（イベント）がＡＣアダプタ側からは見えない。すなわちＡＣアダプタを再びオンにできないという矛盾を生じてしまう。
【００１４】
また、特開平７−１５３５８２号公報では、照明装置用のＡＣアダプタについての節電技術が開示されているが、ＡＣアダプタはそもそも照明装置と一体型であり、本体とはケーブル接続されるタイプのＡＣアダプタについての節電技術を何ら教示していない。
【００１５】
また、特開平８−１７９８５８号公報では、ＡＣアダプタ自体に電源スイッチを設け、この電源スイッチを手動で操作することによってＡＣコンセントから抜くことなくＡＣアダプタをオン／オフ操作することを可能にしているが、ＡＣアダプタを自動的にオフにすることはできない。例えば、パワー・オフ時の機器本体が充電を完了したことに応答して自動的にＡＣアダプタをオフにする、ということはできない。
【００１６】
【発明が解決しようとする課題】
本発明の目的は、商用ＡＣ電圧をＤＣ電圧に変換するためのＡＣアダプタを利用可能なバッテリ駆動型電子機器を提供することにある。
【００１７】
本発明の更なる目的は、不使用時の電力を削減可能な優れたＡＣアダプタを利用可能なバッテリ駆動型電子機器を提供することにある。
【００１８】
本発明の更なる目的は、装着中の電子機器内の電源状態を検知することにより不使用時の消費電力を削減可能なＡＣアダプタを利用可能なバッテリ駆動型電子機器を提供することにある。
【００１９】
【課題を解決するための手段】
本発明は、上記課題を参酌してなされたものであり、その第１の側面は、ＡＣアダプタからのＤＣ電圧又はバッテリからのＤＣ電圧の少なくとも一方によって駆動可能な電子機器であって、前記電子機器が外部からの給電が必要か否かを判別する手段と、前記電子機器が外部からの給電を必要としない間はＡＣアダプタからの入力ラインを切り離す手段とを具備することを特徴とする電子機器である。
【００２０】
また、本発明の第２の側面は、ＡＣアダプタからのＤＣ電圧又はバッテリからのＤＣ電圧の少なくとも一方によって駆動可能な電子機器であって、ＡＣアダプタからのＤＣ電圧を受け入れるための入力ラインと、電源の投入及び遮断を指示するためのパワー・スイッチと、ＡＣアダプタからのＤＣ電圧及びバッテリからのＤＣ電圧を消費するシステム負荷と、前記バッテリの充電動作を制御する充電制御回路と、電源の投入状態及びバッテリの充電状態をモニタして、電源遮断時で且つバッテリ非充電時には前記入力ラインを外部から切り離す手段とを具備することを特徴とする電子機器である。
【００２１】
【作用】
本発明に係るＡＣアダプタは、商用電源としての外部ＡＣ電圧から電子機器に供給するＤＣ電源電圧を発生する第１の変換回路の他、外部ＡＣ電圧から別のＤＣ電圧を発生する第２の変換回路を備え、各ＤＣ電圧は何れも出力ラインに送出される。第１の変換回路の出力ＤＣ電圧は第１の電圧レベルに設定され、また、第２の変換回路の出力ＤＣ電圧は第２の電圧レベルに設定されており、第２の電圧レベルの方が第１の電圧レベルよりも高電位となっている。第１の変換回路は電子機器の主電源となり、また、第２の変換回路は小容量の補助電源となる。
【００２２】
第１の変換回路は、その負荷となる電気系統のシステム動作に必要な電源電圧を生成するためのものであり、一般には出力電位を一定に保つために、その１次側においてスイッチング制御が常時行われている（周知）。このスイッチング動作のために電力を消費している。本発明では、第１の変換回路の１次側には、さらに、外部ＡＣ電源からの電流の流入を遮断するためのスイッチが設けられている。
【００２３】
第２の変換回路は、その負荷となる電気系統のシステムが非動作で且つ充電していないとき、電源のオン／オフ制御に関わるごく一部の回路に電源電圧を供給するものであり、その出力電圧すなわち電源供給能力はごく僅かで足りる（例えば１０ｍＡ程度）。このため、単純なトランス結合と電流回路によって第２の変換回路を実装することができる。また、第２の変圧回路は、第１の変換回路の場合のような、スイッチング動作による電力消費は伴わない。また、扱われる電流量が第１の変換回路のそれに比し極端に少ないので、仮に第２の変換回路にスイッチング方式の変換構造を採用したとしても、その１次側におけるスイッチング制御による電力消費ははるかに少ないであろう。
【００２４】
ＡＣアダプタの出力ラインは常時基準電圧と比較される。この基準電圧は、第１の電圧レベルよりは高いが第２の電圧レベルよりも低い値に設定されている。ＡＣアダプタを装着した電子機器側が電源を投入している間（電源遮断中のバッテリ充電時を含む）には、電子機器内のシステム負荷により電荷が引き込まれるため、ＡＣアダプタの出力ライン上の電圧は基準電圧を下回る。この比較結果に応答して、第１の変換回路の１次側のスイッチはオンされ、ＡＣアダプタは駆動状態となる。すなわち、第１の変換回路によるＤＣ電源電圧の供給が可能となる。
【００２５】
他方、ＡＣアダプタを装着した電子機器側が電源遮断時で且つバッテリ非充電時には、ＡＣアダプタの出力ラインは、電子機器内のシステム負荷から切り離された状態（すなわち、オープン状態）となり、第２の変換回路からの電流供給が可能となるため、ＡＣアダプタの出力ライン上の電圧は基準電圧を上回る。この比較結果に応答して、第１の変換回路の１次側のスイッチはオフされ、第１の変換回路の作動を停止することができる。したがって、第１の変換回路におけるスイッチング動作に伴う電力浪費がなくなるので、ＡＣアダプタを商用電源のコンセント及び電子機器に装着したままであっても消費電力を好適に削減することができる。
【００２６】
また、ＡＣアダプタは、自身の出力ラインの電圧レベルに基づいて電子機器側における電源需要の状況（すなわちパワー・オンか、あるいはバッテリ充電中か）を判断している。言い換えれば、節電動作のためにケーブルの信号線数を増やす必要がないので、ＡＣアダプタのコネクタ互換性を維持することができる。
【００２７】
本発明に係る電子機器は、電子機器が外部からの給電を必要としない間はＡＣアダプタからの入力を切り離すようになっている。ＡＣアダプタ側から見れば、出力側がオープン（若しくはハイ・インピーダンス）状態となるので、出力ラインの電圧レベルは確実に基準電圧を越え、第１の変換回路の作動を停止させることができる。すなわち、ＡＣアダプタ内における電力削減動作が担保される。
【００２８】
要するに本発明に係るＡＣアダプタを電子機器に適用すれば、ＡＣアダプタをＤＣインレットやＡＣコンセントから抜き取らなくても、電子機器のパワー・オフ時におけるＡＣアダプタによる電力浪費を抑えることができるのである。
【００２９】
本発明のさらに他の目的、特徴や利点は、後述する本発明の実施例や添付する図面に基づくより詳細な説明によって明らかになるであろう。
【００３０】
【発明の実施の形態】
以下、図面を参照しながら本発明の実施例を詳解する。
【００３１】
Ａ．ハードウェア構成
図１には、本発明を実現するのに適したＡＣアダプタ１０を模式的に示している。以下、各部について説明する。
【００３２】
本実施例のＡＣアダプタ１０は、商用ＡＣコンセントから入力した１００ＶのＡＣ入力電圧を１６ＶのＤＣ電源電圧に変換して、ＤＣアウトレット１３経由で電子機器５０に供給するようになっている。ＡＣアダプタ１０は、ＡＣ−ＤＣ変換機能を実現するために、ＡＣ電圧を整流・平滑化するための整流ブリッジ１１と、所定のＤＣ電圧（この例では１６Ｖ）に変換するための変圧トランス１２を含んでいる。変圧トランス１２の出力は、電子機器５０の主電源となる。
【００３３】
変圧トランス１２の１次側は整流ブリッジ１１に接続され、２次側はＤＣアウトレット１３経由で電子機器５０に接続されている。また、変圧トランス１２の１次側にはアナログ・スイッチ１４が挿入されている。アナログ・スイッチ１４は、そのオン・オフ操作により変圧トランス１２への電流の供給を調整するために設けられている。アナログ・スイッチ１４の動作は、図示しない制御回路によってフィードバック制御されており、この結果、２次側におけるＤＣ出力には定電圧出力（Constant Voltage：ＣＶ）又は定電流出力（Constant Current：ＣＣ）などの所定の出力特性が与えられる。この１次側に設けられたアナログ・スイッチ１４は、ＡＣアダプタ１０の駆動中は出力制御のため常時オン・オフ制御が繰り返され、スイッチング・ロスにより電力の消費を招来していることは［従来の技術］の項で既に述べた通りである。アナログ・スイッチ１４には、例えばＦＥＴスイッチが用いられる。
【００３４】
なお、ＡＣアダプタ１０のＡＣ／ＤＣ変換機構は、電流共振型、フライバック型のいずれであってもよい。
【００３５】
本実施例のＡＣアダプタ１０は、上述したＡＣ−ＤＣ変換機能の他に、さらに、変圧トランス１２の１次側への電流供給を遮断するためのスイッチ２０と、このスイッチ２０のオン・オフ操作を制御するための制御ブロック３０とで構成される。スイッチ２０がオフ状態の間には、変圧トランス１２の１次側コイルには電流が流入しないため、ＦＥＴスイッチ１４によるスイッチング・ロスはなくなり、以て電力損失を抑制することができる点を充分理解されたい。
【００３６】
制御ブロック３０は、図示の通り、制御用変圧トランス３１と、比較器３２と、１次−２次アイソレータ３３とを含んでいる。制御用変圧トランス３１の１次側は、商用ＡＣコンセントから供給されるＡＣ１００Ｖを分岐入力している。制御用変圧トランス３１の出力は小容量で、補助的な電源に過ぎない。変圧トランス３１の２次側では、一対のダイオード３５及びキャパシタ３６によって出力が整流・平滑化され、この結果、ＤＣ２０Ｖの信号が発生されることとなる。２０Ｖという電圧レベル自体は本発明の具現に必須ではないが、ＡＣアダプタ１０の出力電圧１６Ｖよりも充分高い値であることが重要である。
【００３７】
制御用変圧トランス３１の出力は、抵抗３７経由で、ＡＣアダプタ１０の１６Ｖ出力端子に接続される他、比較器３２の一端子にも入力されている。抵抗３７は、電子機器５０側がパワー・オン時又はバッテリ５５の充電時に、制御用変圧トランス３１の出力電流がＡＣアダプタ１０の出力端子から許容量を越えて流出したときに出力端子の電圧を低下させるために設けられたものであり、その抵抗値は例えば１ｋΩに設定される。抵抗３７の存在により、制御用変圧トランス３１の出力は専ら後述のスイッチ２０の動作制御にのみ使用され、電力損失が回避される。
【００３８】
比較器３３は、ＡＣアダプタ１０の出力電圧を基準電圧と比較するためのものである。この基準値には、ＡＣアダプタ１０の通常動作時における出力電圧１６Ｖよりは高いが、制御用変圧トランス３１の出力電圧２０Ｖよりも低い値に設定される。この例では、１８Ｖの基準電圧が与えられている。
【００３９】
ＡＣアダプタ１０の出力端子が電子機器５０機器５０内のシステム負荷に接続されている間は、該システム負荷により電荷が引き込まれる結果として、該出力端子には変圧トランス１２の出力である１６Ｖの電圧レベルが現れる。他方、ＡＣアダプタ１０の出力端子がシステム負荷から切り離されている、すなわちオープン状態のときには、該出力端子には制御用変圧トランス３１の出力である２０Ｖの電圧レベルが現れる。したがって、比較器３２は、一方の入力端子が他方の入力である基準電圧１８Ｖよりも高いかどうかによって、ＡＣアダプタ１０の出力電圧が電子機器５０の駆動に利用されているかどうか（あるいは電子機器５０に接続されているかどうか）を判別することができる。
【００４０】
比較器３２の出力は、スイッチ２０のオン・オフ制御に利用される。但し、２次側の信号と１次側の信号を電気的に分離させるために、比較器３２の出力は、１次−２次アイソレータ３３経由でスイッチ２０に伝達される。１次−２次アイソレータ３３としては、例えばフォト・カプラ（周知）を用いればよい。
【００４１】
比較器３２は、一方の入力端子が１８Ｖよりも低いとき、すなわちＡＣアダプタ１０の出力が電子機器５０によって消費されているときには、スイッチ２０をオンにする信号を出力する。この結果、変圧トランス１２には商用ＡＣコンセントからの入力電流が供給されるので、ＡＣアダプタ１０は電源電圧を生成することができる。他方、一方の入力端子が１８Ｖよりも高いとき、すなわちＡＣアダプタ１０の出力が電子機器５０によって消費されていないときには、比較器３２はスイッチ２０をオフにする信号を出力する。この結果、変圧トランス１２には商用ＡＣコンセントからの入力電流が供給されないので、必然的にＡＣアダプタ１０は駆動停止状態に陥る。当然、ＦＥＴスイッチ１４によるスイッチング・ロスは抑制される。なお、スイッチ２０には例えばＦＥＴスイッチが使用される。
【００４２】
また、図２には、本実施例に係るＡＣアダプタ１０を取り付け可能な電子機器５０のハードウェア構成を、主に給電系統を着目して示している。電子機器５０は、バッテリ駆動型であり、その一例はノートブックＰＣである。以下、図２を参照しながら各部にいて説明する。
【００４３】
電子機器５０は、その本体壁面に設けられたＤＣインレット５１経由で、ＡＣアダプタのＤＣ１６Ｖ電源電圧を入力する。電源ライン４０は、一対のＦＥＴスイッチＦＥＴ１及びＦＥＴ２を経由して、ＤＣ／ＤＣコンバータ５３に入力されている。一対のＦＥＴスイッチＦＥＴ１及びＦＥＴ２は、各寄生ダイオードのカソード端子同士を向き合わせる形で接続されており、これらＦＥＴスイッチを共にオフにすることによって電源ライン４０上を双方向に電流通過不能にすることができる。なお、本実施例では、ＦＥＴ１及びＦＥＴ２は、いずれもＮｃｈ型とする。
【００４４】
また、ＤＣ／ＤＣコンバータ５３には、機器５０本体に内蔵されたバッテリ５５の出力端子電圧も並列的に入力される。バッテリ５５は、一般には、リチウム・イオンやニッケル水素（ＮｉＭＨ）などの充電式バッテリ・セルを複数個有したパッケージの形態を採っている。充電器５４の入力端子は電源ライン４０に接続され、また、その出力端子はバッテリ５５の端子に接続されている。充電器５４は、例えば機器５０のパワー・オフ時などにＡＣアダプタ１０の余剰電力を利用して、バッテリ５５の充電電流を生成するための回路である。充電の開始や停止は、電源コントローラ７０（後述）によって制御される。
【００４５】
ＤＣ／ＤＣコンバータ５３は、ＡＣアダプタ１０から供給されたＤＣ電圧１６Ｖを、システム内部の駆動に適した電圧レベル（本実施例ではＤＣ５Ｖ）に変換して安定化出力するための回路であり、その出力電圧はシステム負荷６０の各部に供給される。ここで言うシステム負荷６０には、ＣＰＵ６１、メイン・メモリ６２、ビデオ・コントローラ６３を含む各種周辺コントローラ・チップ、出力装置としてのディスプレイ６４、外部記憶装置としてのハード・ディスク・ドライブ（ＨＤＤ）６５、フロッピー（Ｒ）・ディスク・ドライブ（ＦＤＤ）６６、ＣＤ−ＲＯＭドライブ６７等が含まれる。なお、ＤＣ／ＤＣコンバータ５３は、ＡＣアダプタ１０からの入力電圧ＶCCにより駆動する。
【００４６】
ＣＰＵ６１は、オペレーティング・システム（ＯＳ）の制御下で機器５０内の動作を統括するためのメイン・コントローラであり、メイン・メモリ６２を作業エリアとして使用する。また、必要なプログラム・コードやデータは、適宜、外部記憶装置としてのハード・ディスク・ドライブ（ＨＤＤ）６５…からメイン・メモリ６２にロードされる。周辺機器類の駆動制御は各周辺コントローラに委ねられている。例えば、ディスプレイ６４上での描画処理はビデオ・コントローラ６３が行い、モデムやプリンタとの入出力はＩ／Ｏコントローラ（図示しない）が担っている。なお、ノートブックＰＣのディスプレイ６４としては、一般に、薄形軽量で低消費電力である液晶表示ディスプレイ（ＬＣＤ）が用いられる。
【００４７】
この外、電子機器５０は、自身への電力供給及び遮断動作を実現するために、電源コントローラ７０と、パワー・オン論理回路８０を備えている。
【００４８】
電源コントローラ７０は、電子機器５０内の給電系統を制御するための専用コントローラである。電源コントローラ７０は、例えば、（１）機器５０本体の動作や消費電力をモニタしたり、（２）バッテリ５５の残存容量を常時モニタして、充電器５４による充電動作の開始や停止を制御する、などの機能を提供する。電源コントローラ７０は、バッテリ５５の端子電圧、電流の流入／流出量、バッテリ・セルの周囲温度等の計測用の入力端子を含んでおり（図示しない）、バッテリ５５の充電状態を把握することができる。また、本実施例の電源コントローラ７０は、充電時にはチャージ・オン（ＣＨＧＯＮ）信号をアサートして、充電器５４を駆動させるとともに、充電終了時にはこの信号をネゲートするようになっている。例えば日立製作所（株）製の１チップ・マイクロプロセッサ"Ｈ８"は、このような電源コントローラ５０としての動作をプログラム可能である。
【００４９】
また、パワー・オン論理回路８０は、機器５０本体の壁面に設けられたパワー・スイッチ５９に対するユーザ操作に応答して、機器５０本体の電源投入／遮断動作を実行せしめるようになっている。パワー・オン論理回路８０は、機器５０のパワー・オンの間はパワー・オン（ＰＷＲＯＮ）信号をアサートし、パワー・オフの間はこれをネゲートする。なお、電源コントローラ７０は、ＤＣ／ＤＣコンバータの出力電圧ＶCC5により駆動し、また、パワー・オン論理回路８０は、ＡＣアダプタ１０からの入力電圧ＶCCにより駆動する。
【００５０】
本実施例の電子機器５０は、さらに、ＡＣアダプタ１０からの給電の必要がないときには、電源ライン４０をＤＣインレット５１から切り離すことによって、ＡＣアダプタ１０を装着したままの状態でもシステム負荷６０が無駄な電力を浪費するのを回避するようになっている。ここで、ＡＣアダプタ１０からの給電の必要のないときとは、具体的には、電子機器５０自体がパワー・オフの状態で且つバッテリ５５の充電終了時のことを言う。また、電源ライン４０のＤＣインレット５１からの切り離しは、上述したように、１対のＦＥＴスイッチＦＥＴ１及びＦＥＴ２を共にオフ状態にすることで実現される。１対のＦＥＴスイッチＦＥＴ１及びＦＥＴ２のオン／オフ操作を実現するために、図２中の破線で囲まれた制御回路９０が実装されている。この制御回路９０内の各素子は、ＡＣアダプタ１０からの入力電圧ＶCCにより駆動する。図３には、制御回路９０の動作特性を表したタイミング・チャートを示している。以下、図３を参照しながら、制御回路９０の機能について説明する。
【００５１】
（ａ）ＡＣアダプタの挿入
まず、電子機器５０のパワー・オフ中に、機器５０のＤＣインレット５１にＡＣアダプタ１０を装着したとする。電源ライン４０には、ＡＣアダプタ１０の出力電圧が加わる。ここで言うＡＣアダプタ１０の出力電圧とは、出力用の変圧トランス１２で生成されたＤＣ１６Ｖと把握されたい。ＡＣアダプタ１０からの電力供給の開始に応答して、制御回路９０内のフリップ・フロップＦ／Ｆのリセット端子Ｒには、抵抗Ｒ１とキャパシタＣ１の相互作用で生成されるパルス波が入力されるとともに、Ｆ／Ｆのセット端子Ｓには、抵抗Ｒ２とキャパシタＣ２の相互作用で生成されるパルス波が入力される。本実施例では、リセット端子Ｒ側のパルス波の立上りが遅くなるように抵抗値やキャパシティなどのパラメータが設定されている。このため、フリップ・フロップＦ／Ｆのリセット動作が優先して実行され、Ｆ／ＦのＱ出力がロー・レベルに保持される。ロー・レベルのＱ出力がＮｃｈ型ＦＥＴスイッチＦＥＴ３のゲートに入力される結果、ＦＥＴ３はオフされて、一対のＦＥＴ１及びＦＥＴ２の各ゲートをグランドから切り離してハイ・レベルとなるため、ＦＥＴ１及びＦＥＴ２をオン状態にすることができる。すなわち、電源ライン４０は接続状態となる。これら一対のＦＥＴスイッチのオンされたことに応答して、ＤＣ／ＤＣコンバータ５３は駆動して、ＤＣ５Ｖの電源電圧ＶCC5の出力を開始する。
【００５２】
（ｂ）充電開始
電源コントローラ７０は、充電の開始時期を計測している。充電開始時期は、例えばバッテリ５５の残存容量や端子電圧、又はバッテリ・セルの周囲温度等を常時モニタして、残存容量や端子電圧が所定値を下回ったことにより、検知される（周知）。そして、ＡＣアダプタ１０の装着中に充電の開始時期を知ると、電源コントローラ７０は、自身の出力端子ＣＨＧＯＮをアサートする。ＣＨＧＯＮは充電器５４に入力されて、充電器５４の駆動を開始させる。また、ＣＨＧＯＮ信号は、トランジスタＴＲ２によって反転され、ロー・レベルのＣＨＧＯＦＦ信号としてＮＡＮＤゲートの一方の端子に入力される。この時点では、電子機器５０はパワー・オフ状態であり、パワー・オン論理回路８０は、自身の出力端子ＰＷＲＯＮをネゲートし続けている。このＰＷＲＯＮ信号は、トランジスタＴＲ１によって反転され、ハイ・レベルのＰＷＲＯＦＦ信号がＮＡＮＤゲートの他方の端子に入力されている。したがって、機器５０のパワー・オフ中における充電の開始とともに、ＮＡＮＤゲートの出力はロー・レベルからハイ・レベルに転じる。但し、このＮＡＮＤ出力は、フリップ・フロップＦ／ＦへのＳ入力に影響しないので、引き続き、ＦＥＴ１及びＦＥＴ２のオン状態が保たれる。すなわち、ＡＣアダプタ１０からの充電用電力の供給が確保される訳である。
【００５３】
（ｃ）充電終了
電源コントローラ７０は、充電の終了時期を計測している。充電時期は、例えばバッテリ５５の残存容量や端子電圧、又はバッテリ・セルの周囲温度等を常時モニタして、蓄積容量や端子電圧が所定値を上回ったり、周囲温度が所定値を越えたことにより検知される（周知）。そして、ＡＣアダプタ１０の装着中に充電の終了時期を知ると、電源コントローラ７０は、自身の出力端子ＣＨＧＯＮをネゲートする。ＣＨＧＯＮは充電器５４に入力されて、充電器５４の駆動を停止させる。また、ＣＨＧＯＮ信号は、トランジスタＴＲ２によって反転され、ハイ・レベルのＣＨＧＯＦＦ信号としてＮＡＮＤゲートの一方の端子に入力される。この時点では、電子機器５０はパワー・オフ状態であり、パワー・オン論理回路８０は、自身の出力端子ＰＷＲＯＮをネゲートし続けている。このＰＷＲＯＮ信号は、トランジスタＴＲ１によって反転され、ハイ・レベルのＰＷＲＯＦＦ信号がＮＡＮＤゲートの他方の端子に入力されている。したがって、機器５０のパワー・オフ中における充電の終了とともに、ＮＡＮＤゲートの出力はハイ・レベルからロー・レベルに転じる。このＮＡＮＤ出力の立ち下がりによって、抵抗Ｒ２とキャパシタＣ２の相互作用でパルス波が生成され、フリップ・フロップＦ／Ｆのセット端子Ｓに入力される。この結果、フリップ・フロップＦ／Ｆの内部状態が遷移し、その出力Ｑはハイ・レベルに転じる。このため、ＦＥＴ３のゲートに高電位が加わってオン状態に転じて、ＦＥＴ１及びＦＥＴ２のゲートはグランド・レベルに降下するので、ＦＥＴ１及びＦＥＴ２はオフ状態に切り換わる。すなわち、電源ライン４０がＤＣインレット５１から遮断される訳である。
【００５４】
（ｄ）パワー・オン
パワー・オン動作は、例えば、電子機器５０の筐体壁面に設けられたパワー・オン・スイッチ８１を操作することによって開始される。パワー・オン論理回路８０は、このパワー・オン・スイッチ８１の操作に応答して、所定の電源投入シーケンスを実行するとともに、自身の出力端子ＰＷＲＯＮをアサートする。このＰＷＲＯＮ信号は、キャパシタＣ３経由でトランジスタＴＲ３のベースに入力され、ＴＲ３のコレクタにパルス波を生成する。このパルス波がフリップ・フロップＦ／Ｆのリセット端子Ｒに入力されて、Ｆ／Ｆはその出力Ｑをロー・レベルに転じる。そして、ロー・レベルのＱ出力がＮｃｈ型ＦＥＴスイッチＦＥＴ３のゲートに入力される結果、ＦＥＴ３は、一対のＦＥＴ１及びＦＥＴ２の各ゲートをグランドから切り離してハイ・レベルとするため、ＦＥＴ１及びＦＥＴ２をオン状態になる。すなわち、電源ライン４０は接続状態となる。これら一対のＦＥＴスイッチのオンに応答して、ＤＣ／ＤＣコンバータ５３は駆動して、ＤＣ５Ｖの電源電圧ＶCC5の出力を開始する。
【００５５】
（ｅ）電源投入中の充電開始
電源コントローラ７０は、充電の開始時期を計測している。充電開始時期は、例えばバッテリ５５の残存容量や端子電圧、又はバッテリ・セルの周囲温度等を常時モニタして、残存容量が端子電圧が所定値を下回ったことにより、検知される（周知）。そして、電子機器５０の電源投入中に充電の開始時期を知ると、電源コントローラ７０は、自身の出力端子ＣＨＧＯＮをアサートする。ＣＨＧＯＮは充電器５４に入力されて、充電器５４の駆動を開始させる。また、ＣＨＧＯＮ信号は、トランジスタＴＲ２によって反転され、ロー・レベルのＣＨＧＯＦＦ信号としてＮＡＮＤゲートの一方の端子に入力される。電子機器５０はパワー・オン状態であり、パワー・オン論理回路８０は、自身の出力端子ＰＷＲＯＮをアサートし続けている。このＰＷＲＯＮ信号は、トランジスタＴＲ１によって反転され、ロー・レベルのＰＷＲＯＦＦ信号がＮＡＮＤゲートの他方の端子に入力されている。したがって、機器５０のパワー・オン中に充電を開始しても、ＮＡＮＤゲートの出力はハイ・レベルを維持するので、フリップ・フロップＦ／ＦへのＳ入力に影響せず、引き続きＦＥＴ１及びＦＥＴ２のオン状態が保たれる。すなわち、電源ライン４０の接続状態が保たれ、ＡＣアダプタ１０からの充電用電力の供給が確保される訳である。
【００５６】
（ｆ）電源投入中の充電終了
電源コントローラ７０は、充電の終了時期を計測している。充電時期は、例えばバッテリ５５の残存容量や端子電圧、又はバッテリ・セルの周囲温度等を常時モニタして、蓄積容量や端子電圧が所定値を上回ったり、周囲温度が所定値を越えたことにより検知される（周知）。そして、電子機器５０の電源投入中に充電の終了時期を知ると、電源コントローラ７０は、自身の出力端子ＣＨＧＯＮをネゲートする。ＣＨＧＯＮは充電器５４に入力されて、充電器５４の駆動を停止させる。また、ＣＨＧＯＮ信号は、トランジスタＴＲ２によって反転され、ハイ・レベルのＣＨＧＯＦＦ信号としてＮＡＮＤゲートの一方の端子に入力される。この時点では、電子機器５０はパワー・オン状態であり、パワー・オン論理回路８０は、自身の出力端子ＰＷＲＯＮをアサートし続けている。このＰＷＲＯＮ信号は、トランジスタＴＲ１によって反転され、ロー・レベルのＰＷＲＯＦＦ信号がＮＡＮＤゲートの他方の端子に入力されている。したがって、機器５０のパワー・オン中における充電を終了しても、ＮＡＮＤゲートの出力はハイ・レベルを維持するので、フリップ・フロップＦ／ＦへのＳ入力に影響せず、引き続きＦＥＴ１及びＦＥＴ２のオン状態が保たれる。すなわち、電源ライン４０の接続状態が保たれ、ＡＣアダプタ１０からの充電用電力の供給が確保される訳である。
【００５７】
（ｇ）パワー・オフ
パワー・オフ動作は、例えば、電子機器５０の筐体壁面に設けられたパワー・オン・スイッチ８１を操作することによって開始される。パワー・オン論理回路８０は、このパワー・オフ・スイッチ８１の操作に応答して、所定の電源遮断シーケンスを実行するとともに、自身の出力端子ＰＷＲＯＮをネゲートする。このＰＷＲＯＮ信号は、トランジスタＴＲ１によって反転され、ハイ・レベルのＰＷＲＯＦＦ信号がＮＡＮＤゲートの他方の端子に入力される。また、この時点では、バッテリ５５の充電を終了しているので、電源コントローラ７０は自身の出力端子ＣＨＧＯＮをネゲートしており、ＮＡＮＤゲートの一方の端子にはハイ・レベルのＣＨＧＯＦＦ信号が入力されている。したがって、ＮＡＮＤゲートは、パワー・オフ動作に応答して、その出力をハイ・レベルからロー・レベルに転じる。このＮＡＮＤ出力の立ち下がりによって、抵抗Ｒ２とキャパシタＣ２の相互作用でパルス波が生成され、フリップ・フロップＦ／Ｆのセット端子Ｓに入力される。この結果、フリップ・フロップＦ／Ｆの内部状態が遷移し、その出力Ｑはハイ・レベルに転じる。このため、ＦＥＴ３のゲートに高電位が加わってオン状態に転じて、ＦＥＴ１及びＦＥＴ２のゲートはグランド・レベルに降下するので、ＦＥＴ１及びＦＥＴ２はオフ状態に切り換わる。すなわち、電源ライン４０がＤＣインレット５１から遮断される訳である。
【００５８】
（ｈ）バッテリ交換
電子機器５０の電源遮断中は、ユーザにとってはバッテリ５５を交換するための良い機会でもある。新しいバッテリ５５を装着した瞬間には、その出力端子５５ａにはバッテリ端子電圧（ＰＶＢＡＴＴ）が加わり、これに伴って、キャパシタＣ３経由でトランジスタＴＲ３のベースに電圧が印加され、ＴＲ３のコレクタにパルス波を生成する。このパルス波がフリップ・フロップＦ／Ｆのリセット端子Ｒに入力されて、Ｆ／Ｆはその出力Ｑをロー・レベルに転じる。そして、ロー・レベルのＱ出力がＮｃｈ型ＦＥＴスイッチＦＥＴ３のゲートに入力される結果、ＦＥＴ３は、一対のＦＥＴ１及びＦＥＴ２の各ゲートをグランドから切り離してハイ・レベルとするため、ＦＥＴ１及びＦＥＴ２をオン状態にすることができる。すなわち、電源ライン４０は接続状態となる。これら一対のＦＥＴスイッチのオンに応答して、ＤＣ／ＤＣコンバータ５３は駆動を開始して、ＤＣ５Ｖの電源電圧ＶCC5の出力を開始する。バッテリ交換時には、一般に、新たに装着したバッテリ５５に対して充電処理を施すべきである。本実施例によれば、バッテリ交換時には、電源ライン４０の接続状態が確保されており、充電処理を可能ならしめている訳である。
【００５９】
（ｉ）充電開始
電源コントローラ７０は、充電の開始時期を計測している。充電開始時期は、例えばバッテリ５５の残存容量や端子電圧、又はバッテリ・セルの周囲温度等を常時モニタして、残存容量が端子電圧が所定値を下回ったことにより、検知される（周知）。そして、電子機器５０の電源遮断中に充電の開始時期を知ると、電源コントローラ７０は、自身の出力端子ＣＨＧＯＮをアサートする。ＣＨＧＯＮは充電器５４に入力されて、充電器５４の駆動を開始させる。また、ＣＨＧＯＮ信号は、トランジスタＴＲ２によって反転され、ロー・レベルのＣＨＧＯＦＦ信号としてＮＡＮＤゲートの一方の端子に入力される。電子機器５０はパワー・オフ状態であり、パワー・オン論理回路８０は、自身の出力端子ＰＷＲＯＮをネゲートし続けている。このＰＷＲＯＮ信号は、トランジスタＴＲ１によって反転され、ハイ・レベルのＰＷＲＯＦＦ信号がＮＡＮＤゲートの他方の端子に入力されている。したがって、機器５０のパワー・オフ中における充電の開始とともに、ＮＡＮＤゲートの出力はロー・レベルからハイ・レベルに転じる。但し、このＮＡＮＤ出力は、フリップ・フロップＦ／ＦへのＳ入力に影響しないので、引き続き、ＦＥＴ１及びＦＥＴ２のオン状態が保たれる。すなわち、ＡＣアダプタ１０からの充電用電力の供給が確保される訳である。
【００６０】
以上の説明では、電子機器５０が電力の供給を必要としない期間、より具体的には、上記フェーズ（ｃ）及び（ｇ）のように機器５０がパワー・オフで且つ充電終了時には、一対のＦＥＴスイッチＦＥＴ１及びＦＥＴ２によって電源ライン４０が遮断される、という点に特を理解されたい。なお、ＦＥＴ１及びＦＥＴ２の各々のスイッチング動作は、ＤＣインレット５１に印加されたＡＣアダプタ１０の出力電圧に基づいて行われる。言い換えれば、これらのスイッチング動作のために、電子機器５０内のバッテリ５５の蓄積電荷を消耗しない。
【００６１】
ＡＣアダプタ１０、及びコンピュータ・システムとしての電子機器５０を構成するためには、図１に示した以外にも多くの電気回路等が必要である。但し、これらは当業者には周知であり、また、本発明の要旨を構成するものではないので、本明細書中では省略している。また、図面の錯綜を回避するため、図中の各ハードウェア・ブロック間の接続も一部しか図示していない点を了承されたい。
【００６２】
Ｂ．ＡＣアダプタの動作特性
次いで、本実施例に係るＡＣアダプタ１０の省電力動作特性について説明することにする。従来のＡＣアダプタは、ＡＣコンセントに装着しているだけで電力を浪費していた（前述）。本実施例に係るＡＣアダプタ１０によれば、これを装着した電子機器５０が電力を必要としない限りＡＣアダプタ１０は電力を殆ど消費しない、という点を以下の説明により充分理解されたい。以下、再び図１を参照しながら説明する。
【００６３】
（ａ）ＡＣコンセントに装着し、電子機器には装着しないとき
ＡＣアダプタ１０をＡＣコンセントに装着している間は、変圧トランス１２には電流が流入するため、ＦＥＴスイッチ１４のスイッチング動作により電力を浪費する危険がある。
【００６４】
ところが、ＡＣアダプタ１０を電子機器に装着していないときには、ＡＣアダプタ１０の出力端子（ＤＣアウトレット１３）は、オープン状態となる。
【００６５】
他方、ＡＣアダプタ１０の出力端子には、電源用の変圧トランス１２の出力電圧以外に、制御用の変圧トランス３１の出力電圧も印加されている。出力端子電圧がオープン状態では、より高電位の変圧トランス３１の出力電圧２０Ｖが現れる。この結果、比較器３２の出力がアサートされ、１次−２次アイソレータ３３を介してスイッチ２０がオフされる。この結果、変圧トランス１２への電流の流入がなくなり、ＦＥＴスイッチ１４のスイッチング動作による電力浪費が回避される。
【００６６】
（ｂ）ＡＣコンセント及び電子機器に装着したままのとき
電子機器５０にＡＣアダプタ１０を装着したまま放置しておくと、電子機器５０がパワー・オフの状態であっても、その内部のシステム負荷によって電力が浪費される危険がある。
【００６７】
しかしながら、本実施例に係る電子機器５０によれば、機器５０がパワー・オフで且つ充電終了時には、一対のＦＥＴスイッチＦＥＴ１及びＦＥＴ２によって電源ライン４０が遮断されるようになっている（上述）。すなわち、機器５０が電力を必要としない間は、ＡＣアダプタ１０の出力端子（ＤＣアウトレット１３）は、オープン状態になる訳である。
【００６８】
他方、ＡＣアダプタ１０の出力端子には、電源用の変圧トランス１２の出力電圧以外に、制御用の変圧トランス３１の出力電圧も印加されている。出力端子電圧がオープン状態では、より高電位の変圧トランス３１の出力電圧２０Ｖが現れる。この結果、比較器３２の出力がアサートされ、１次−２次アイソレータ３３を介してスイッチ２０がオフされる。この結果、変圧トランス１２への電流の流入がなくなり、ＦＥＴスイッチ１４のスイッチング動作による電力浪費が回避される。
【００６９】
Ｃ．追補
以上、特定の実施例を参照しながら、本発明について詳解してきた。しかしながら、本発明の要旨を逸脱しない範囲で当業者が該実施例の修正や代用を成し得ることは自明である。例えばファクシミリ機器、移動無線端末やコードレス電話機、電子手帳、ビデオ・カメラなどの各種コードレス機器、ワードプロセッサ等のようなバッテリ駆動タイプの各種電気・電子機器、あるいはＡＣアダプタ経由で商用ＡＣ電源で駆動する電気・電子機器に対しても、本発明を適用することができる。要するに、例示という形態で本発明を開示してきたのであり、限定的に解釈されるべきではない。本発明の要旨を判断するためには、冒頭に記載した特許請求の範囲の欄を参酌すべきである。
【００７０】
【発明の効果】
以上詳記したように、本発明によれば、商用ＡＣ電圧をＤＣ電圧に変換するためのＡＣアダプタを利用可能なバッテリ駆動型電子機器を提供することができる。
【００７１】
また、本発明によれば、未使用時の電力を削減可能なＡＣアダプタを利用可能なバッテリ駆動型電子機器を提供することができる。
【００７２】
また、本発明によれば、装着中の電子機器内の電源状態を検知したことにより商用ＡＣ電源からの給電を遮断することにより未使用時の電力を削減可能な優れたＡＣアダプタを利用可能なバッテリ駆動型電子機器を提供することができる。
【図面の簡単な説明】
【図１】図１は、本発明を実現するのに適したＡＣアダプタ及び電子機器の給電系統の構成を模式的に示した図である。
【図２】図２は、本実施例に係るＡＣアダプタ１０を取り付け可能な電子機器５０のハードウェア構成を、主に給電系統を着目して示した図である。
【図３】図３は、制御回路９０による制御に伴う動作特性を表したタイミング・チャートである。
【符号の説明】
１０…ＡＣアダプタ、１１…整流ブリッジ、１２…変圧トランス、
１３…ＤＣアウトレット、１４…ＦＥＴスイッチ、２０…スイッチ、
３０…制御ブロック、３１…制御用変圧トランス、３２…比較器、
３３…１次−２次アイソレータ、３５…ダイオード、３６…キャパシタ、
３７…抵抗、４０…電源ライン、５０…電子機器、５１…ＤＣインレット、
５３…ＤＣ／ＤＣコンバータ、５４…充電器、５５…バッテリ、
５７…ＦＥＴスイッチ、５８…ＡＮＤゲート、５９…パワー・スイッチ、
６０…システム負荷、６１…ＣＰＵ、６２…メイン・メモリ、
６３…ビデオ・コントローラ、６４…ディスプレイ、６５…ＨＤＤ、
６６…ＦＤＤ、６７…ＣＤ−ＲＯＭドライブ、７０…電源コントローラ、
８０…パワー・オン論理回路、８１…パワー・オン・スイッチ、
９０…制御回路。
【図１】
0003800403.tif 000002
【図２】
0003800403.tif 000003
【図３】
0003800403.tif 000004